(57)【特許請求の範囲】
【請求項１】
浴室の上部に設置され、浴室内に温風を放出するとともに輻射熱を放射する開口部を備えた浴室用衣類乾燥暖房換気装置において、
前記開口部を囲む開口枠と前記開口枠に設置された断面がくの字形状をなす複数の風向ガイドとを備え、
前記風向ガイドは、該風向ガイドの根元部分を上下方向に向ける第１の姿勢と、該風向ガイドの両端を結ぶ線の傾きが、前記第１の姿勢のときの前記温風の放出方向とほぼ同じで、かつ、輻射熱の放射が最も強い方向となる第２の姿勢と、に回動可能であることを特徴とする浴室用衣類乾燥暖房換気装置。
【請求項２】
浴室の上部に設置され、浴室内に温風を放出するとともに輻射熱を放射する開口部を備えた浴室用衣類乾燥暖房換気装置において、
前記開口部を囲む開口枠と前記開口枠に設置された断面がほぼ長方形形状の第１の風向ガイドと、断面がほぼ長方形形状の第２の風向ガイドと、を含む風向ガイドを複数備え、
前記風向ガイドは、前記第１の風向ガイドを上下方向に向け、かつ、前記第２の風向ガイドを第１の風向ガイドに対して傾斜させる第１の姿勢と、前記第１、第２の風向ガイドが一直線状となり、その傾きが、前記第１の姿勢のときの前記温風の放出方向とほぼ同じで、かつ、輻射熱の放射が最も強い方向となる第２の姿勢と、に姿勢変更可能であることを特徴とする浴室用衣類乾燥暖房換気装置。
【請求項３】
輻射熱を放射する放熱器と、浴室内の空気を吸い込む吸い込み口と、前記空気を前記放熱器に向かって送風する送風器と、前記放熱器から放射された輻射熱を反射する反射板をさらに備え、前記反射板は、前記開口部から輻射熱を放射する時は、前記送風器と前記放熱器との風路を遮断するように配置されることを特徴とする請求項１または請求項２に記載の浴室用衣類乾燥暖房換気装置。
【発明の詳細な説明】
【０００１】
【発明の属する技術分野】
この発明は、浴室に設置されて衣類などの乾燥、および暖房、換気を行う浴室用衣類乾燥暖房換気装置に関するものである。
【０００２】
【従来の技術】
図８は、浴室用衣類乾燥暖房換気装置を浴室内に設置した状態を示す概念図である。図８中、１１１は浴室である。１１２は浴槽であり、浴室１１１の下面に設置されている。１１３は浴槽１１２に隣接する洗い場である。１１４は浴槽１１２の上部に位置し、浴室１１１の天井面に設置された浴室用衣類乾燥暖房換気装置である。１１５は浴室用衣類乾燥暖房換気装置１１４の浴室１１１側に面している開口部であり、この開口部１１５から浴室１１１内に乾燥や暖房のための温風が吹き出したり、また、暖房のための輻射熱を放射したりしている。なお、１１６は開口部１１５から吹出した温風であり、矢印は吹き出しの方向を示している。
【０００３】
なお、乾燥には浴室壁・床の乾燥と衣類の乾燥とがあるが、これらのうち浴室の乾燥については吹き出す温風を主に洗い場１１３へ向けて送る方が効果的である。なお、このことは、「三菱バス乾燥・暖房・換気システム、技術マニュアル」に記載されている。さらに、一般に暖房機能を強化させたタイプの機種では、遠赤外線クォーツヒータを傾斜させ、主に洗い場に向けて輻射熱を放射することで暖房効果を上げている。
【０００４】
図９は、従来の暖房機能を強化させたタイプの浴室用衣類乾燥暖房換気装置の断面図である。
図９中、１２１は遠赤外線クォーツヒータである。１２２は反射板である。反射板１２２は、遠赤外線クォーツヒータ１２１を囲むように、第１の側壁反射板１２２ａ、第２の側壁反射板１２２ｂ、第１の傾斜上方反射板１２２ｃ、第２の傾斜上方反射板１２２ｄからなっている。１２３は浴室内の空気を装置内に吸込む吸込み口である。１２４は温風を吹出したり輻射熱を放射したりするための開口部である。１２５は開放部１２４に固定された風向ガイドである。１２６は温風生成用のヒータである。１２７は吸込み口１２３から吸い込んだ空気をヒータ１２６の方向に送風する送風機である。なお、１２８は開放部１２４から吹出される吹出し温風であり、矢印は流れの方向を示している。１２９は反射板１２２と風向ガイド１２５の間に形成された風路である。１３０は風路１２９を流れる気流であり、矢印は流れの方向を示している。
【０００５】
次に、動作について説明する。浴室１１１を乾燥させるためや衣類を乾燥させるため、入浴前の暖房を行うためには温風を吹き出す運転が行なわれる。この場合、温風生成用のヒータ１２６は通電されるとともに送風機１２７が動作して送風が行われる。送風は、吸込み口１２３から浴室１１１内の空気を吸込み、送風機１２７はその空気を温風生成用のヒータ１２６に送る。その後、空気はヒータ１２６で暖められ、反射板１２２と風向ガイド１２５との間の風路１２９を経て開口部１２４から吹き出される。
なお、開口部１２４からは温風１２８が吹き出す場合と輻射熱が放射される場合があるため、ヒータ１２６で暖められた空気１２８は狭い風路１２９をほぼ水平に流れた後、風向ガイド１２５にて大きく角度を変えて開口部１２４から吹き出される。また、入浴中に暖房を行う場合には遠赤外線クォーツヒータ１２１に通電し、反射板１２２を用いて放射される輻射熱が開口部１２４から浴室１１１内へ放射されるようになっている。
【０００６】
ここで、開口部１２４から吹き出される温風１２８を洗い場１１３へ向けて送風させるための風向ガイド１２５の一般的な形状について説明する。図１０は、風向ガイド１２５の断面形状を示す断面図である。図１０中、１３１は風向ガイド１２５の間を流れる気流を示している。風向ガイド１２５は、固定された断面がくの字形状をした板でできており、根元の約７ｍｍ長さの部分が上下方向に向いている。そして、先端の約３ｍｍ長さの部分が６０度傾いた構造をしている。これにより、風路１２９を流れてきた気流１３０は風向ガイド１２５の根元の部分でほぼ直角に曲げられて、上下方向に流れる気流１３１となり、その後に６０度傾いた先端部分でさらに３０度程度曲げられることにより洗い場１１３の方向へ送風されることになる。なお、ここでは、風向ガイド１２５の間隔は約１０ｍｍであり、ガイド１２５の厚みは約０．８ｍｍであるとする。但し、風向きガイドの断面を長方形形状とし、３０度傾けて開口部１２４に設置することも考えられるが、この場合には、３０度よりも天井面に近い方向に温風が流れてしまうことになり、洗い場の方向に温風を与えることができない。
【０００７】
【発明が解決しようとする課題】
上述のように、従来の浴室用衣類乾燥暖房換気装置１１４では、温風を反射板１２２と開口部１２４との間の狭い風路１２９から洗い場１１３に向けて送風し、くの字形状の風向ガイド１２５で気流を上下方向に曲げた後にさらに傾けて、目的位置に温風を与えるようにしている。この結果、温風の吹き出しについては洗い場に向けて角度を与えることができ、装置構成を簡単にできるとともに、効率も良くなる。しかし、このような形状では、遠赤外線クォーツヒータ１２１からの輻射熱の放射に関しては、十分効率のよいものとは言えなかった。すなわち、輻射熱は直進するので、風向ガイド１２５の存在により一部が遮られるという現象が発生することになる。
【０００８】
図１１は、風向ガイド１２５付近での放射される輻射熱の方向を示した図である。図１１中、１３２は輻射熱であり、矢印は放射の方向を示している。ここで、輻射熱１３２は風向ガイド１２５の間から放射されるが、最も強く放射される方向は３０度ではなく、図１１に示すように約１５度となっている。これは、風向ガイド１２５の根元は上下方向に向いていて角度として０度であり、先端部分が６０度となっているためである。この約１５度の方向に対して、風向ガイド１２５の間隔は７．６ｍｍであり、風向ガイド１２５の見かけの厚みは２ｍｍである。従って、開口率は間隔を間隔と厚みの合計で除した値（７．６ｍｍ／（７．６ｍｍ＋２ｍｍ）＝０．７９）から求めると、７９％と小さな値となる。
【０００９】
このように、従来の浴室用衣類乾燥暖房換気装置１１４には入浴中の暖房を行うための輻射熱の放射において、風向きガイドにより放射が遮られて放射効率が悪くなるという問題があった。また、風向ガイドとの位置関係から輻射熱の強い角度が決定されてしまい、目的とする方向に輻射熱を放射することが著しく困難であるという問題があった。なお、輻射熱の方向と温風の方向とを同じ方向にする為には、微妙な設計が要求される。さらに、温風を吹き出させるためのヒータと、輻射熱を作るための遠赤外線クォーツヒータとの両方を備えねばならず、装置が大規模となってしまうという問題もあった。
【００１０】
この発明は、上述のような問題を解決するためになされたものであり、第１の目的は、遠赤外線ヒータから放射される輻射熱の方向を温風の方向と同じにすることができ、さらに、輻射効率を高めることができる浴室用衣類乾燥暖房換気装置を提供することにある。
第２の目的は、装置構成を簡単に、小型化することができる浴室用衣類乾燥暖房換気装置を提供することにある。
【課題を解決するための手段】
【００１１】
この発明にかかる浴室用衣類乾燥暖房換気装置では、開口部を囲む開口枠と開口枠に設置された断面がくの字形状をなす複数の風向ガイドとを備え、風向ガイドは、風向ガイドの根元部分を上下方向に向ける第１の姿勢と、風向ガイドの両端を結ぶ線の傾きが、第１の姿勢のときの温風の放出方向とほぼ同じで、かつ、輻射熱の放射が最も強い方向となる第２の姿勢と、に回動可能であるものとした。
【００１３】
また、この発明にかかる浴室用衣類乾燥暖房換気装置では、開口部を囲む開口枠と開口枠に設置された断面がほぼ長方形形状の第１の風向ガイドと、断面がほぼ長方形形状の第２の風向ガイドと、を含む風向ガイドを複数備え、風向ガイドは、第１の風向ガイドを上下方向に向け、かつ、第２の風向ガイドを第１の風向ガイドに対して傾斜させる第１の姿勢と、第１、第２の風向ガイドが一直線状となり、その傾きが第１の姿勢のときの温風の放出方向とほぼ同じで、かつ、輻射熱の放射が最も強い方向となる第２の姿勢と、に姿勢変更可能であるものとした。
【００１６】
さらに、輻射熱を放射する放熱器と、浴室内の空気を吸い込む吸い込み口と、空気を放熱器に向かって送風する送風器と、放熱器から放射された輻射熱を反射する反射板をさらに備え、反射板は、開口部から輻射熱を放射する時は、送風器と放熱器との風路を遮断するように配置されるものとした。
【００１７】
【発明の実施の形態】
実施の形態１．
図１は、この発明の実施の形態１における浴室用衣類乾燥暖房換気装置の断面図である。
図１中、１は浴室用衣類乾燥暖房換気装置である。２は遠赤外線クォーツヒータである。３は反射板である。反射板３は、遠赤外線クォーツヒータ２を囲むように、第１の側壁反射板３ａ、第２の側壁反射板３ｂ、第１の傾斜上方反射板３ｃ、第２の傾斜上方反射板３ｄからなっている。４は浴室内の空気を装置１内に吸い込む吸込み口である。５は温風を吹出したり輻射熱を放射したりするための開口部である。６は開口部５を囲むように取り付けられた開口枠である。７は風向ガイドであり、開口枠６の相対する２辺に設けられた水平方向での動作可能な可動部８に固定されている。９は温風生成用のヒータである。１０は吸込み口４から吸い込んだ空気をヒータ９の方向に送風する送風機である。
【００１８】
次に、浴室用衣類乾燥暖房換気装置での風向きガイド近辺での構成について、図２の断面図を用いて説明する。
図２中、２１はくの字に形成された風向ガイド７の浴室側の先端に設けられた固定用軸であり、開口枠６に上下方向のみ多少動けるように固定され、この固定軸２１を中心に風向ガイド７が回転できるようになっている。２２は風向ガイド１の反射板側の先端に設けられた間隔保持用の突起である。なお、可動部８には、各風向ガイド７にある間隔保持用の突起２２が回転自在に所定間隔毎に固定されている。従って、この可動部８が図２中で左右方向に移動することにより、複数の風向ガイド７の角度が一度に変わることになる。なお、可動部８の動きは、マイコン（図示せず）により、予め作成された制御プログラムに従って制御されている。２３は温風であり、矢印は吹き出し方向を示している。
【００１９】
次に動作について説明する。
例えば、乾燥運転時や入浴前の暖房時などで温風を吹き出す場合には、風向ガイド７の向きを図２に示すように可動部８を設定する。すなわち、可動部８に対して風向ガイド７が垂直方向を向くようにする。これにより、従来と同様に、風向ガイド７により送風機１０からヒータ９を通過して水平方向に送られた温風は９０度曲げられて下方向に向き、さらに、傾けられ、洗い場に向けた角度で開口部５より吹出され、乾燥や暖房を行うことができる。
【００２０】
次に、入浴中の暖房のために遠赤外線クォーツヒータ２による輻射熱を放射する場合には、可動部８が図２では左側に動くことで、風向ガイド７の方向を図３に示すよう少し斜め方向に変えて、遠赤外線クォーツヒータ２に電流を流す。図３中、２４は輻射熱の放射が最も強い方向を示している。なお、図３では、可動部８を左方向へ移動させ、風向ガイド７をさらに寝かせるよう反時計方向へ回転させて放射の最も強い方向２４が温風と同じ方向に向けることで、入浴中暖房においても輻射熱を主に洗い場方向へ放射させることができ、効果的に暖房を行うことができる。
【００２１】
このように、断面がくの字形状の風向ガイド７全体を回転させることで、温風と同様に輻射熱についても洗い場へ向けて放射できるようになる。なお、風向ガイド７の構成を、突起２２の間隔は１０ｍｍ、くの字の角度を６０度とした場合には、風向ガイド７を輻射熱の放射が３０度となるように寝かした角度で使用すると、見かけの厚みは２ｍｍ、風向ガイド１の間隔は６．７ｍｍとなる。このため、開口率は７７（６．７／（６．７＋２））％となり、従来とほぼ同様の輻射効率となる。
【００２２】
実施の形態２．
図４は、この発明の実施の形態２における浴室用衣類乾燥暖房換気装置での風向きガイド近辺を示す断面図である。なお、図１と同一および相当する構成部分には同一の符号を付す。
図４中、可動部８には、浴室側方向に向かって断面が長方形形状の第１の風向ガイド３１が、反射板側方向に向かって断面が長方形形状の第２の風向ガイド３２が相対するように固定されている。３３は第１の風向ガイド３１の浴室側先端に設けられた固定用軸であり、開口枠６に上下方向のみ多少動けるように固定され、この固定用軸３３を中心に第１の風向ガイド３１が回転できるようになっている。３４は第１の風向ガイド３１の反射板側先端に設けられた間隔保持用の突起である。なお、この突起３４は可動部８に回転自在に、所定間隔毎に固定されており、水平方向に動くことで第１の風向ガイド３１の角度を変更することができる。また、可動部８が一番左側に位置している時には、図４に示すように、第１の風向ガイド３１は、可動部８に対する方向から約３０度となるように設置されている。
【００２３】
３５は第２の風向ガイド３２の中心付近に細長く形成された穴部である。３６は、開口枠６に固定された固定用支持部であり、穴部３５に挿入されている。なお、第２の風向ガイド３２の浴室側先端は第１の風向ガイド３１の突起３４に回転自在に固定されている。従って、第２の風向ガイド３２は、可動部８が動くことにより、固定支持部３６に沿って穴部３５が動き、突起３４を中心として回転することで傾斜する方向に位置することが可能となる。なお、可動部８が図４中、一番左側に位置している時には、第２の風向ガイド３２は、可動部８に対して垂直方向となるように設置されている。３７は温風の吹き出し方向である。
【００２４】
次に、動作について説明する。
例えば、乾燥運転時や入浴前の暖房時などで温風を吹き出す場合には、可動部８は左側に位置することで、第２の風向ガイド３２の向きは、図４に示すように可動部８に対して垂直方向となり、また、第１の風向ガイド３１は可動部８の方向に対して３０度程度の方向となる。これにより、従来同様に、くの字形状の風向ガイドを第１の風向ガイド３１と第２の風向ガイド３２との組み合せにより構成するようになり、温風を３０度の角度をもって吹き出すことができる。
【００２５】
次に、入浴中の暖房のため遠赤外線クォーツヒータ２による輻射熱を放射する場合においては、可動部８が右側に動くことで、第１の風向ガイド３１と第２の風向ガイド３２のなす角度を変え、図５に示すように直線状にすることができる。ここで、３８は輻射熱の放射が最も強い方向を示している。可動部８を右側に動かした場合、固定用軸３３が多少下方向にずれ、第１の風向ガイド３１が突起３４を中心にして時計回りに動く。また、第２の風向ガイド３２は、固定支持部３６に沿うように穴部３５がずれ、突起３４を中心にして反時計方向に動く。このようにして、第１の風向ガイド３１の断面と第２の風向ガイド３２の断面とが直線状になるようにし、さらに、この状態で放射の最も強い方向３８が温風の方向と同じに向けることで、入浴中の暖房も輻射熱を主に洗い場方向へ向けることができ、効果的に暖房を行うことができる。
【００２６】
このように、第１の風向ガイド３１と第２の風向ガイド３２を回転させることで、温風と同様に輻射熱についても洗い場へ向けて放射できるようになる。さらに、風向きガイドの構成を、突起３４の間隔は１０ｍｍとすると、輻射熱の放射時は、第１の風向ガイド３１もしくは第２の風向ガイド３２はどちらも間隔が７．９ｍｍを確保でき、開口率は９１（７．９／（７．９＋０．８））％と大きな値を持つことから、輻射効率を向上させることができる。
【００２７】
実施の形態３
図６は、この発明の実施の形態３における浴室用衣類乾燥暖房換気装置の断面図であり、図１の浴室用衣類乾燥暖房換気装置において、送風機側に位置する第２の側壁反射板の位置を変動可能としたものである。なお、図１と同一および相当する構成部分には同一の符号を付す。
図６中、１１は、可動側壁反射板であり本体下部に軸１２を中心として回転可能となっている。
【００２８】
次の動作について説明する。
入浴中暖房のため遠赤外線クォーツヒータ２に通電し、輻射熱を浴室へ放射する時は、図６に示すように、可動側壁反射板１１は、遠赤外線クォーツヒータ２からの輻射を反射板で囲まれた空間内部に反射するように、他の反射板に接するように移動し、これにより、遠赤外線クォーツヒータ２からの輻射熱は開口部５のみから放射される。
【００２９】
次に、乾燥運転や入浴前の暖房時などの温風を吹き出す時は、図７に示すように、可動側壁反射板１１が軸１２を中心として回転して倒れ、送風機１０の方向に水平になるため、送風機１０から遠赤外線クォーツヒータ２を経て開口部５に至る風路が形成される。１３は遠赤外線クォーツヒータ２の周囲を流れる気流であり、１４は開口部５から吹き出す温風であり、１５は送風機１０から吹き出した気流であり、１６は吸込み口２４へ吸込まれる気流である。
【００３０】
温風を吹き出す場合には、送風機１０と遠赤外線クォーツヒータ２に通電する。これにより、送風機１０は吸込み口４から気流１６を吸込み、吹き出し気流１５を送り出す。可動側壁反射板１１が開いた状態にあるため、吹き出し気流１５は遠赤外線クォーツヒータ２へ向って流れ、ヒータ周囲を流れる気流１３となって加熱される。その後、開口部５にある風向ガイド７により傾いて吹き出し気流１４となり、効果的に乾燥や暖房を行うことができる。このように、可動側壁反射板１１を運転状態に合わせて回転するようにすれば、遠赤外線クォーツヒータ２のみで輻射熱の放射と温風の生成とを行うことができ、装置構成を簡単にできる。
【００３１】
【発明の効果】
このように、この発明では、温風の吹出し時と輻射熱の放射時とで、風向きガイドの傾きを調整することで、温風の方向と輻射熱の放射の方向を調整でき、その両方を浴室の洗い場方向に向けることができる。さらに、輻射熱の放射時には、風向きガイド全体を断面が直線状となるようにし、輻射熱の放射方向に傾けることにより放射効率を上げることができる。また、温風の生成を遠赤外線クォーツヒータのみで行えるようにすることで、装置をコンパクトに構成できる。
【図面の簡単な説明】
【図１】  実施の形態１における浴室用衣類乾燥暖房換気装置の断面図である。
【図２】  実施の形態１における風向ガイドの温風送風時の断面図である。
【図３】  実施の形態１における風向ガイドの輻射熱放出時の断面図である。
【図４】  実施の形態２における風向ガイドの温風送風時の断面図である。
【図５】  実施の形態２における風向ガイドの輻射熱放出時の断面図である。
【図６】  実施の形態３における浴室用衣類乾燥暖房換気装置の温風送風時の断面図である。
【図７】  実施の形態３における浴室用衣類乾燥暖房換気装置の輻射熱放射時の断面図である。
【図８】  従来の浴室用衣類乾燥暖房換気装置の設置状態を示す概念図である。
【図９】  従来の浴室用衣類乾燥暖房換気装置の断面図である。
【図１０】  従来の浴室用衣類乾燥暖房換気装置の風向ガイドの断面形状を示す断面図である。
【図１１】  従来の浴室用衣類乾燥暖房換気装置の風向ガイドの輻射熱の放熱状態を示す図である。
【符号の説明】
１  浴室用衣類乾燥暖房換気装置、  ２  遠赤外線クォーツヒータ、
３  反射板、  ３ａ  第１の側壁反射板、  ３ｂ  第２の側壁反射板、
３ｃ  第１の傾斜上方反射板、  ３ｄ  第２の傾斜上方反射板、
４  吸込み口、  ５  開口部、  ６  開口枠、
７  風向ガイド、  ８  可動部、  ９  ヒータ、  １０  送風機、
１１  可動側壁反射板、  １２  軸、
１３  遠赤外線クォーツヒータの周囲を流れる気流、  １４  温風、
１５  吹出した気流、  １６  吸込まれる気流、  ２１  固定用軸、
２２  突起、  ２３  温風、  ２４  輻射熱、  ３１  第１の風向ガイド、
３２  第２の風向ガイド、  ３３  固定用軸、  ３４  突起、  ３５  穴部、
３６  固定用支持部、  ３７  温風
【図１】
0003820077.tif 000002
【図２】
0003820077.tif 000003
【図３】
0003820077.tif 000004
【図４】
0003820077.tif 000005
【図５】
0003820077.tif 000006
【図６】
0003820077.tif 000007
【図７】
0003820077.tif 000008
【図８】
0003820077.tif 000009
【図９】
0003820077.tif 000010
【図１０】
0003820077.tif 000011
【図１１】
0003820077.tif 000012